(57)【特許請求の範囲】
【請求項１】
室外側および室内側のハンドルの上下方向の略中央部の裏面に、その裏面と直交する方向に突出するテコを一体的に設けると共に、上記ハンドルの上下方向の略中央部を室外側及び室内側のそれぞれ１個の座に枢支し、その枢支部を中心に上部および下部の略対称位置にバネ装置を設けて、このバネ装置の付勢力により常時ハンドルを中立位置に保持し、ハンドルの上部または下部を押し或いは引き操作することによって、上記枢支部を支点にハンドルおよびテコが回動するように設け、前記テコの先端部は扉に取り付けられたラッチ錠の解錠機構の作動部材に係合させ、前記ハンドルの操作によってラッチ錠の解錠機構を作動して、ラッチ錠を解錠させるようにしてあるハンドル錠であって、
前記室外側および室内側のハンドルは、上下方向に長くした同一の形状に形成すると共に、両ハンドルの裏面には前記室外側及び室内側の座を嵌合する凹部を形成し、この凹部の中央部には前記枢軸とテコの取り付け部を取り付けるための基部が形成してあり、
前記室外側及び室内側の座は、上下対称位置に前記バネ装置を構成するバネ軸及びバネを嵌装する収納凹部を形成して、この収納凹部にバネ軸を出没自在に嵌装し、バネ軸の一端をハンドルの押動部に当接してあることを特徴とするハンドル錠。
【請求項２】
前記バネ装置には、ハンドル操作時の作動音を小さくするためのゴム等の減音部材を設けてあることを特徴とする請求項１に記載のハンドル錠。
【発明の詳細な説明】
【技術分野】
【０００１】
本発明は、ハンドルの開扉方向への押し或いは引き操作によりラッチ錠が解錠され、そのままハンドルの押し或いは引き操作によって扉が開放されるように構成した、所謂プッシュ・プル式のハンドル錠に関するものである。
【背景技術】
【０００２】
従来、この種のハンドル錠としては、例えば特開平１１−１４８２５９号公報（特許文献１）が知られている。
【０００３】
前記特許文献１のハンドル錠では、ハンドルの上部および下部は、各々上部および下部の取り付け座に取り付けられており、上部の取り付け座には作動部材（以下テコという）と連接部材が設けられており、ハンドルの押し或いは引き操作によってハンドルはその下部を支点に回動し、ハンドルの上部の動きに連動して連接部材が回動し、連接部材の回動によりテコが上方に或いは下方に作動し、このテコの作動によりラッチ錠を解錠するようにしたものである。
【先行技術文献】
【特許文献】
【０００４】
【特許文献１】特開平１１−１４８２５９号公報
【発明の概要】
【発明が解決しようとする課題】
【０００５】
しかしながら、前記特許文献１のハンドル錠では、ハンドルを取り付ける座は上部および下部に２個必要であるので、生産性の効率が悪いだけでなく、扉に取り付ける時は、扉に上部の座および下部の座用の取付穴を加工して取り付ける必要があるので、施工性も悪いという問題点があった。
【０００６】
また、ハンドルは下部の座に取り付けられた下部を支点にして回動するので、ハンドルの上部を操作する時は小さい操作力でラッチ錠を解錠できるが、支点に近いハンドルの下部を操作する時は大きい操作力を要する（操作が重い）という問題点もあった。
【０００７】
さらに、ハンドルの操作によりテコを作動させる連動機構は連接部材を要するなど複雑な構成であり、組立作業性も悪いだけでなく良好な耐久性が得られない等の問題点もあった。
【０００８】
本発明は、上記従来のハンドル錠の問題点を解決しようとするものであり、室外側および室内側のハンドルを取り付ける座は１個でよく、各々のハンドルはその上下方向の略中央部を１個の座に枢支して取り付けるようにしてある。従って、生産性の効率が良いだけでなく、ハンドル錠を扉に取り付ける時、扉への加工は１個の座の部分だけでよく取り付け作業も簡単で、施工性にも優れている。
【０００９】
また、ハンドルはその上下方向の中央部の枢支部を支点に回動するので、ハンドルの上部を操作しても下部を操作しても、同じ操作力でラッチ錠を解錠でき、操作性も良好である。
【００１０】
さらに、ラッチ錠の解錠機構を作動してラッチ錠を解錠させるテコは、ハンドルに直接固定してハンドルと一体的に作動するようにしてあるので、ハンドルの操作によりテコを作動させるための連動機構は不要であり、その構成は簡単であり、組立性も良好で耐久性にも優れる。
【課題を解決するための手段】
【００１１】
上記目的を達成するため、本発明の請求項１のハンドル錠は、室外側および室内側のハンドルの上下方向の略中央部の裏面に、その裏面と直交する方向に突出するテコを一体的に設けると共に、上記ハンドルの上下方向の略中央部を室外側および室内側のそれぞれ１個の座に枢支し、その枢支部を中心に上部および下部の略対称位置にバネ装置を設けて、このバネ装置の付勢力により常時ハンドルを中立位置に保持し、ハンドルの上部または下部を押し或いは引き操作することによって、上記枢支部を支点にハンドルおよびテコが回動するように設け、前記テコの先端部は扉に取り付けられたラッチ錠の解錠機構の作動部材に係合させ、前記ハンドルの操作によってラッチ錠の解錠機構を作動して、ラッチ錠を解錠させるようにしてあるハンドル錠であって、
前記室外側および室内側のハンドルは、上下方向に長くした同一の形状に形成すると共に、両ハンドルの裏面には前記室外側及び室内側の座を嵌合する凹部を形成し、この凹部の中央部には前記枢軸とテコの取り付け部を取り付けるための基部が形成してあり、
前記室外側及び室内側の座は、上下対称位置に前記バネ装置を構成するバネ軸及びバネを嵌装する収納凹部を形成して、この収納凹部にバネ軸を出没自在に嵌装し、バネ軸の一端をハンドルの押動部に当接してあることを特徴とするハンドル錠である。
【００１２】
請求項２のハンドル錠は、前記請求項１において、前記バネ装置には、ハンドル操作時の作動音を小さくするためのゴム等の減音部材を設けてあることを特徴とする。
【発明の効果】
【００１３】
請求項１のハンドル錠によれば、室外側および室内側のハンドルの上下方向の略中央部の裏面に、その裏面と直交する方向に突出するテコを一体的に設けると共に、上記ハンドルの上下方向の略中央部を室外側および室内側のそれぞれ１個の座に枢支し、その枢支部を中心に上部および下部の略対称位置にバネ装置を設けて、このバネ装置の付勢力によりハンドルを常時に中立位置に保持し、ハンドルの上部または下部を押し或いは引き操作することによって、上記枢支部を支点にハンドルが回動し、ハンドルと一体的にテコが回動してラッチ錠を解錠するようにしてあるので、ハンドルはその上部または下部を押し或いは引いてもラッチ錠を解錠することができるため、身長の高い大人はハンドルの上部を操作すればよいし、身長の低い小人はハンドルの下部を操作すればよいので、身長の高低に関係なく操作し易く、便利である。
また、ハンドルは、その上下方向の略中央部が座に枢支されその枢支部を支点に回動するので、ハンドルの上部または下部のどちらを押し或いは引き操作しても、同じ操作力でラッチ錠を解錠できるので操作性に優れている。
【００１４】
また、ハンドルを取り付ける座は、従来のように上部および下部の２個の座は必要なく１個でよいので、構成部材が少なく生産性に優れているので、極めて安価に提供できる。しかも、ハンドル錠を扉に取り付ける時は、扉への座取り付け用の穴は１個所のみに加工すればよく、また、取り付け作業も、１個の座を取り付ければよいので簡単であり施工性に優れている。
【００１５】
さらに、ラッチ錠の解除機構を作動させるテコは、ハンドルに直接取り付けられておりハンドルの操作時にはハンドルと一体的に回動してラッチ錠の解錠機構を作動させて、ラッチ錠を解錠するようにしてあるので、従来のようにハンドル操作時には、連接部材を介してテコを作動させる必要もなくその構成が簡単で、組立性も良好であり、安価であると共に、誤動作もなく耐久性にも優れたハンドル錠を提供できる。
【００１６】
また、前記室外側および室内側のハンドルは、上下方向に長くした同一の形状に形成すると共に、両ハンドルの裏面には前記室外側及び室内側の座を嵌合する凹部を形成し、この凹部の中央部には前記枢軸とテコの取り付け部を取り付けるための基部が形成してあり、前記室外側及び室内側の座は、上下対称位置に前記バネ装置を構成するバネ軸及びバネを嵌装する収納凹部を形成して、この収納凹部にバネ軸を出没自在に嵌装し、バネ軸の一端をハンドルの押動部に当接してあることを特徴とするから、ハンドルを常に中立状態に安定して保持させることができ、また、ハンドルの押しあるいは引き操作が円滑に行えるなど操作性に優れたハンドル錠を提供できる。加えて、前記室外側および室内側のハンドルは、上下方向に長くした同一の形状に形成としているから、室外側のハンドルと室内側のハンドルとは互換可能である。
【００１７】
請求項２のハンドル錠によれば、前記バネ装置には、ハンドル操作時の作動音を小さくするためのゴム等の減音部材を設けてあることを特徴とするから、ハンドル操作時に発生する耳障りな作動音を減少することができ、快適な操作性を有するハンドル錠を提供することができる。
【図面の簡単な説明】
【００１８】
【図１】本発明のハンドル錠を扉に取り付けた状態で、室外側から見た正面図である。
【図２】図１の要部縦断面図である。
【図３】図１の要部横断面図である。
【図４】室外側のハンドルを示し、（ａ）はその縦断面図、（ｂ）はその左側面図、（ｃ）は図４（ａ）の中央部における横断面図である。
【図５】室外側の座を示し、（ａ）はその縦断面図、（ｂ）はその右側面図である。
【図６】テコの斜視図である。
【図７】図２の要部縦断面図において、室外ハンドルを操作した状態を示す。
【図８】本発明のハンドル錠に使用するラッチ錠のケース内部の正面図である。
【発明を実施するための形態】
【００１９】
本発明のハンドル錠の実施の形態を以下に説明する。
このハンドル錠は、室外側および室内側のハンドルの上下方向の略中央部の裏面に、その裏面と直交する方向に突出するテコを一体的に設けると共に、上記ハンドルの上下方向の略中央部を室外側及び室内側のそれぞれ１個の座に枢支し、その枢支部を中心に上部および下部の略対称位置にバネ装置を設けて、このバネ装置の付勢力により常時ハンドルを中立位置に保持し、ハンドルの上部または下部を押し或いは引き操作することによって、上記枢支部を支点にハンドルおよびテコが回動するように設け、前記テコの先端部は扉に取り付けられたラッチ錠の解錠機構の作動部材に係合させ、前記ハンドルの操作によってラッチ錠の解錠機構を作動して、ラッチ錠を解錠させるようにしてあるハンドル錠であって、
前記室外側および室内側のハンドルは、上下方向に長くした同一の形状に形成すると共に、両ハンドルの裏面には前記室外側及び室内側の座を嵌合する凹部を形成し、この凹部の中央部には前記枢軸とテコの取り付け部を取り付けるための基部が形成してあり、
前記室外側及び室内側の座は、上下対称位置に前記バネ装置を構成するバネ軸及びバネを嵌装する収納凹部を形成して、この収納凹部にバネ軸を出没自在に嵌装し、バネ軸の一端をハンドルの押動部に当接してあることを特徴とするものである。
以下に、本発明のハンドル錠を実施例に沿って、詳細に説明する。
【実施例１】
【００２０】
本発明の実施例１を図１〜図８に基づいて以下に説明する。
本発明のハンドル錠１００は、図１に示されているように，一端側をヒンジ等で枢支された扉Ｄの自由端側に設けられるものであり、そのハンドル錠１００の室外側および室内側のハンドル１、２は、その上下方向の中央部を室外側および室内側の座３，４に回動自在に枢支して取り付けてある。その取り付け方法を室外側のハンドル１について説明すると、図２ないし図６に示すように、ハンドル１の裏面に設けた凹部１５に座３の頂部３３を嵌合すると共に、ハンドル１の裏面の略中央部に突設した基部１３を、座３の頂部３３に形成した開口部３６内に嵌装する。
【００２１】
座３の頂部３３には、座３の幅方向に貫通する軸挿通用の穴３５を形成し、この穴３５には、座３の幅寸法と同じ長さの枢軸１４が挿通されており、前記のように、座３の上部をハンドル１の凹部に嵌合し、ハンドル１の基部１３を座３内に嵌装した時、枢軸１４は、ハンドル１の基部１３の端部に形成した軸挿通用の穴１３ａの開口部から穴１３ａ内に嵌入する。
【００２２】
次に、上記ハンドル１の基部１３に設けられた軸挿通穴１３ａに枢軸１４を嵌入後、最後に、図６に示すテコ５の取り付け部５２をハンドル１の基部１３の端面に当接させ、ネジ５３，５３をハンドル１の基部１３に設けたネジ穴１３ｂ，１３ｂにネジ込んで取り付け固定する。
【００２３】
上記のように、テコ５をハンドル１の基部１３に取り付け固定することにより、テコの取り付け部５２により枢軸１４はハンドルの基部１３の軸挿通穴１３ａから外れなくなる。また、枢軸１４は、図３に示されるように、その長さは座３の幅方向の寸法と略同じに形成されており、ハンドル１の凹部１５に座１の頂部３３を嵌合した時、ハンドル１の側部１ａ，１ａによりハンドル１の幅方向の移動も阻止されるので、枢軸１４は座３の軸挿通用の穴３５に保持される。
【００２４】
上記の通り、ハンドル１は枢軸１４を介して座３に回動自在に取り付けられ、図２において、ハンドル１の上部１１または下部１２を押し或いは引いても、ハンドル１は前記枢軸１４を支点に回動する。なお、座３には、枢軸１４を中心にして上下対称位置にバネ装置７，７が設けられている。
【００２５】
このバネ装置７は、バネ軸７１とバネ７５とにより構成され、座３に形成された収納凹部３４内にバネ軸７１とバネ７５が収納されており、バネ軸７１の一端の小径部は前記収納凹部３４の底部３４ａに形成された穴３４ｂに可動自在に挿通され、他端の大径部７２と収納凹部３４の底部３４ａとの間にバネ７５が掛架される。そして、バネ軸７１はバネ７５の付勢力によって、座３の収納凹部３４から突出する方向に付勢されているが、バネ軸７１の一端部のネジ穴にネジ込んだネジ７４とワッシャ７３により、それ以上の突出が阻止されると共に、第２図の如く、バネ軸７１の大径部７２の端部がハンドル１の押動部１６に当接し、バネ軸７１はバネ７５の付勢力に抗して少し押し込まれた状態での中立位置に保持される。即ち、ハンドル１はバネ装置７，７のバネ軸７１、７１と当接する押動部１６，１６がバネ７５，７５の付勢力によって常時押圧され、ガタ付きの無い図２の中立状態に保持されている。
【００２６】
図２のハンドル１の中立状態から室外側のハンドル１を操作した状態を図７に示す。図７のハンドル１の実線は、ハンドル１の上部１１を室外側への開扉方向である矢印（イ）方向に引いた場合を示すもので、ハンドル１は時計方向に回動しハンドル１の下部の押動部１６が下部のバネ装置７のバネ軸７１をバネ７５の付勢力に抗して押しこむ。
この時、ハンドル１の基部１３に取り付け固定してあるテコ５は、ハンドル１と一体的に時計方向に回動し、テコ５の端部５１は上方に作動する。
【００２７】
また、図７の二点鎖線は、ハンドル１の下部１２を室外側への開扉方向である矢印（ロ）方向に引いた場合を示すもので、上記とは逆にテコ５は反時計方向に回動し、テコ５の端部５１は下方に移動する。
【００２８】
次に、室内側のハンドル２と室内側の座４との構成を説明すると、図２および図３に示すように、室内側の座４の扉面側の底部には断面コの字状の取付板４１が嵌装されており、この取付板４１の側板４１ａ，４１ａに形成されたネジ穴４１ｂ，４１ｂに、座４の側壁４ａ，４ａに形成したネジ挿通穴４２，４２から挿通したネジ４３，４３をネジ込んで、取付板４１に座４を固定する。
【００２９】
なお、前記室外側の座３の扉面側の底部には２本の取付柱３１，３１が固設されており、扉内を挿通して端部を室内側の取付板４１に望ませ、端部に設けたネジ穴３２，３２に取付板４１に形成した穴からネジ４３，４３をネジ込んで、室外側の座３と室内側の座４を扉に一体的に固定して取り付ける。
【００３０】
上記のように、室内側の座４には、  略コの字状の取付板４１が嵌装され、座４の側壁４ａ，４ａをネジ４３，４３でその取付板４１の側板４１ａ，４１ａに固定している点と、室外側の座３には２本の取付柱３１，３１が固設されている点以外は、室内側のハンドル２と室内側の座４の構成は、前記の室外側のハンドル１と室外側の座３との構成と同じであり、その構成の概略を以下に説明する。
【００３１】
すなわち、室内側のハンドル２も、裏面の略中央部に突設した基部２３を枢軸２４で座４に回動自在に枢支してあり、基部２３にはテコ６が前記の室外側のテコ５と同様にテコ６の取り付け部６２が室内側のハンドル２の基部２３に当接されて、枢軸２４を保持するようにしてネジ６３，６３で一体的に取り付け固定されており、図２において、ハンドル２の上部２１を室外側の開扉方向に押した場合、ハンドル２およびテコ６は時計方向に回動し、テコ６の端部６１は下方に作動する。
【００３２】
また、ハンドル２の下部２２を室外側の開扉方向に押した場合は、上記とは逆にテコ６は反時計方向に回動し、テコ６の端部６１を上方に移動する。
【００３３】
なお、室内側の座４にも、前記の室外側のハンドル１と座３に設けられたバネ装置７，７と同じバネ装置８．８が設けられており、室外側のハンドル１と同様にバネ装置８，８の付勢力により、ハンドル２は、常時図２の中立状態にガタ付きの無い状態で保持されている。そして、ハンドル２を操作した時、ハンドル２の押動部２６がバネ装置８のバネ軸８１をバネ８５の付勢力に抗して押し込む。なお、８２はバネ軸８１の大径部、８３はワッシャ、８４はネジである。
また、室内側のハンドル２と室内側の座４にも、前述した室外側のハンドル１と室外側の座３と同様に、例えば、図２及び図７に示されているように、室内側の座４には収納凹部４４や開口部４６が形成されている。
【００３４】
ところで、前記の室外側および室内側のハンドル１および２に取り付けられたテコ５，６の端部５１，６１は、図２、図３および図８に示すように、ラッチ錠９のケース９７内に挿入され、ラッチ錠９の解錠機構９０に係合されている。
【００３５】
ラッチ錠９の内部構成を図８に示すが、このラッチ錠は、従来公知の反転ラッチを使用したもので、本発明の先行技術として挙げた特許文献１のラッチ錠の構成と同じである。
【００３６】
このラッチ錠９の解錠機構９０の動作を図８に基づいて説明する。図８は閉扉され、ラッチ錠９が施錠された状態であり、ハンドル１，２も操作されていない状態である。この状態で、開扉方向に例えば風圧が作用しても、また、扉を直接押しても、反転ラッチ９１の係止溝９２，９２に施錠部材９４，９４の係止部９４ａ、９４ａが係合しているので、反転ラッチ９１は反転を阻止されるのでこの状態を保持し、後退しない。すなわち、ラッチ錠は施錠状態にある。
【００３７】
次に、前記の通り室外側のハンドル１の上部１１を開扉方向に引いた時、テコ５の端部５１は上方に作動し、ラッチ錠の解錠機構９０の構成部材であるコの字状の作動部材９５の上部９５ａを押して、作動部材９５を上方に摺動させる。作動部材９５が上方へ摺動すると、該作動部材９５の下部９５ｂが、上下一対に設けられた施錠部材９４，９４の下方の施錠部材９４の作動部９４ｂを上方へ押して同施錠部材９４を反時計方向に回動させる。この一対の施錠部材９４、９４は片方が回動すると、他方も連動して回動するように連結部材９４ｃにより連結されている。
従って、下方の施錠部材９４が反時計方向に回動すると、連結部材９４ｃに押されて上方の施錠部材９４は時計方向に連動して回動し、施錠部材９４，９４の前記係止部９４ａ，９４ａと反転ラッチ９１の係止溝９２，９２との係止が解除される。
【００３８】
すると、反転ラッチ９１の反転が許容されるので、上記ハンドル１を開扉方向にそのまま引くと、その力により反転ラッチ９１は反転し、その背面部（直線部）が傾いて斜面部となるので、その斜面部の作用により反転ラッチは後退する、すなわち、ラッチ錠は解錠され、開扉できることになる。
（反転ラッチの構成やその動作の詳細は、特許文献１の［００３０］，［００３１］及び図５，図６を参照するとよい。）
【００３９】
また、室外側ハンドル１の下部１２を開扉方向に引いた場合は、前記の通りテコ５は反時計方向に回動し、テコ５の端部５１は下方に作動する。すると、この場合図８において、前記テコ５の端部５１がラッチ錠９の解錠機構９０の作動部材９６の下部９６ｂを押して作動部材９６を下方に摺動させる。作動部材９６が下方に摺動すると、その上部９６ａが上方の施錠部材９４の作動部材９４ｂを下方へ押して同施錠部材９４を時計方向に回動させる。また、下方の施錠部材９４も連結部材９４ｃにより反時計方向に連動して回動され、前記と同様に反転ラッチ９１の反転が許容され、ラッチ錠９は解錠されて開扉できる。
【００４０】
上記の通り、本発明のハンドル錠のハンドルは、上部を操作しても下部を操作してもラッチ錠を解錠して開扉できるので、身長の高い大人はハンドル１の上部を操作すればよく、身長の低い小人などはハンドル１の下部を操作すればよい。しかも、ハンドルの上部を操作する時も、ハンドルの下部を操作する時も、その操作力は同じであるなど操作性は非常に優れている。
【００４１】
次に、室内側のハンドル２を操作する場合を説明する。室内側のハンドル２の上部２１を開扉方向（図７の矢印イ方向）に押すと、テコ６は時計方向に回動し、テコ６の端部６１は下方に作動する。また、ハンドル２の下部２２を開扉方向（図７の矢印ロ方向）に押すと、テコ６は反時計方向に回動し、テコ６の端部６１は上方に作動する。
【００４２】
テコ６の端部６１が上方に作動した場合は、ラッチ錠９の解錠機構９０の作動部材９５を上方に摺動させ、テコ６の端部６１が下方に作動した場合は作動部材９６を下方に摺動させ、前記の作動部材９５の作動による場合と同様に、施錠部材９４，９４を回動させてラッチ錠９を解錠する。  
【００４３】
前記の実施例は、ハンドル錠を、室外側のハンドル１の方向に開く外開き扉に使用した場合であるが、室内側ハンドル２の方向に開く内開き扉に使用する場合を説明する。
この場合は、ラッチ錠９の反転ラッチ９１の斜面部と背面部（直線部）を逆にする必要があるので、ラッチ錠９を図３の外開き扉の場合とは背面図と斜面図とを逆向きにして取り付けるだけでよく、室外側ハンドル１と座３や室内側ハンドル２や座４は何ら取り替える必要がなく、前記の外開き扉用のままで使用できる。
【００４４】
即ち、内開き扉の場合は図７において、室外側のハンドル１はその上部１１または下部１２を押して操作し、室内側のハンドル２はその上部２１または下部２２を引いて操作する。この時、テコ５，６の端部５１，６１は上方または下方に作動するが、前述の通り、いずれの方向に作動してもラッチ錠９を解錠することができる。
従って、本発明のハンドル錠は、ハンドルを押して或いは引いて操作する場合のどちらにもハンドルの勝手などを変更するために取り替える必要がなく、ラッチ錠９の向きを変えるだけでそのまま使用することができる。
【実施例２】
【００４５】
本発明の実施例２を図２に基づいて説明する。
この実施例２は、室外側および室内側の座３，４に設けたバネ装置７，７および８，８に、ハンドル１および２の作動音を減じるための減音部材７６，７６および８６，８６を設けたものである。
【００４６】
この減音部材７６，７６および８６，８６は、ゴム等の弾性部材をワッシャ状に形成したもので、減音部材７６，８６に形成した穴に、バネ装置７，８のバネ軸７１，８１を挿通し、ハンドル１，２の操作時にバネ軸７１，８１が座３，４に当接する当接部に位置するように設けてある。従って、ハンドル１，２の操作時、バネ装置７，８のバネ軸７１，８１は座３，４に当接することなく、この減音部材７６，８６に当接するので、ハンドル１，２の作動音を小さくすることができる。
【００４７】
なお、本発明の実施例では、扉錠にラッチ錠９を使用した場合を示しているが、この場合は本施錠する必要のない室内間仕切扉に使用すればよい。また、本施錠を必要とする玄関などに使用する場合は、ラッチ錠９の上部または下部の少なくとも１個所以上に、デッドボルトを有する本締錠を使用するか、または、特許文献１に示されるような、デッドボルトとラッチを併せ持つ扉錠を使用すればよい。
【符号の説明】
【００４８】
１                  室外側のハンドル
２                  室内側のハンドル
３                  室外側の座
４                  室内側の座
５，６              テコ
７，８              バネ装置
９                  ラッチ錠
１４，２４          枢軸
４１                取付板
７６，８６          減音部材
【図１】
0005981102.tif 000002
【図２】
0005981102.tif 000003
【図３】
0005981102.tif 000004
【図４】
0005981102.tif 000005
【図５】
0005981102.tif 000006
【図６】
0005981102.tif 000007
【図７】
0005981102.tif 000008
【図８】
0005981102.tif 000009